(57)【要約】【課題】簡単な操作で対象物の画像とその対象物の金額などの数値とを対応付けて記録できる撮像装置を提供すること。【解決手段】  撮像手段（撮像部１３）と、数値を入力する入力手段（タッチパネル１２）と、前記撮像手段（撮像部１３）により撮像された画像と前記入力手段（タッチパネル１２）により入力された数値を対応付けて記憶する記憶手段（記憶部２０）と、表示手段（表示部１１）と、前記撮像手段（撮像部１３）により撮像される画像をライブビュー画像として前記表示手段（表示部１１）に表示させるとともに、前記入力手段（タッチパネル１２）により入力された数値を数字として前記ライブビュー画像上に重畳表示させる表示制御手段（中央制御部１０）と、を備える。【選択図】図１
2016100825.tif 000002
【特許請求の範囲】
【請求項１】
撮像手段と、
数値を入力する入力手段と、
前記撮像手段により撮像された画像と前記入力手段により入力された数値を対応付けて記憶する記憶手段と、
を備えた撮像装置。
【請求項２】
表示手段と、
前記撮像手段により撮像される画像をライブビュー画像として前記表示手段に表示させるとともに、前記入力手段により入力された数値を数字として前記ライブビュー画像上に重畳表示させる表示制御手段と、
を備えたことを特徴とする請求項１に記載の撮像装置。
【請求項３】
前記入力手段は、前記表示手段上に配置された透過型のタッチパネルであり、
前記表示制御手段は、前記撮像手段により撮像される画像をライブビュー画像として前記表示手段に表示させるとともに、前記表示手段の所定の位置に少なくとも０から９までの数字を表示し、
前記入力手段は、前記表示手段の所定の位置に表示されている０から９までの数字上の、前記タッチパネルを操作することにより数値を入力することを特徴とする請求項２に記載の撮像装置。
【請求項４】
前記表示制御手段は、前記記憶手段に記憶されている前記画像上に当該画像に対応付けられて記憶されている数値を数字として重畳して前記表示手段に表示させることを特徴とする請求項２又は３の何れか一項に記載の撮像装置。
【請求項５】
前記数値は金額であり、
前記表示制御手段は、前記金額を特定の通貨記号と一緒に表示させることを特徴とする請求項２乃至４の何れか一項に記載の撮像装置。
【請求項６】
前記入力手段は、前記通貨記号を切換える通貨切換え部を更に備えていることを請求項５に記載の撮像装置。
【請求項７】
前記入力手段は、自国の通貨を指定する自国通貨指定部を更に備え、
自国の通貨と他国の通貨の通貨換算を実行する通貨換算手段を備えたことを特徴とする請求項６に記載の撮像装置。
【請求項８】
前記入力手段は、入力した金額を確定する金額確定部を更に備え、
前記撮像手段は、当該金額確定部が操作された場合、入力された金額を対応付けて画像を撮像することを特徴とする請求項５乃至７の何れか一項に記載の撮像装置。
【請求項９】
前記記憶手段は、前記金額確定部が操作され、前記撮像手段が入力された金額を対応付けて画像を撮像すると、前記画像を記憶することを特徴とする請求項８に記載の撮像装置。
【請求項１０】
日付を取得する日付取得手段を備え、
前記記憶手段は、当該金額確定部が操作された場合、前記撮像手段により撮像された画像と前記入力手段により入力された金額と前記日付取得手段により取得された日付を対応付けて記憶することを特徴とする請求項９の何れか一項に記載の撮像装置。
【請求項１１】
前記記憶手段に記憶されている前記画像上に当該画像に対応付けられて記憶されている日付に基づいて前記金額を合計する金額合計手段を備えたことを特徴とする請求項１０に記載の撮像装置。
【請求項１２】
前記表示制御手段は、前記記憶手段に記憶されている前記画像上に当該画像に対応付けられて記憶されている日付に基づいて画像を一覧表示するとともに、前記金額合計手段により当該日付に基づいて前記金額が合計された合計金額を前記表示手段に表示させることを特徴とする請求項１１に記載の撮像装置。
【請求項１３】
前記入力手段は、所定の演算に対応した演算子指定部を更に備え、
前記入力手段により入力された数値を前記演算子指定部で指定された演算子に対応した演算を実行する演算手段を備えたことを特徴とする請求項１乃至１１の何れか一項に記載の撮像装置。
【請求項１４】
撮像手段を備えた撮像装置のデータ記憶方法であって、
数値を入力する数値入力ステップと、
前記撮像手段により撮像された画像と前記数値入力ステップにより入力された数値を対応付けて記憶する記憶ステップと、
を含むことを特徴とする撮像装置のデータ記憶方法。
【請求項１５】
撮像手段を備えた撮像装置のコンピュータに、
数値を入力する入力手段、
前記撮像手段により撮像された画像と前記入力手段により入力された数値を対応付けて記憶する記憶手段、
を実行させるためのプログラム。
【発明の詳細な説明】
【技術分野】
【０００１】
本発明は、撮像装置およびデータ記憶方法ならびにプログラムに関する。
【背景技術】
【０００２】
近年、スマートフォンが普及するにつれて、常に手元にあることの利点を活かし、節約の為の家計簿アプリケーションが広く一般に使われるようになった。現在では、購入した商品を手入力操作で登録するものの他、購入した商品のレシートを認識して、対象の商品情報をアプリケーションに反映するなど、入力の手間を軽減するための機能が追加されたアプリケーションが存在する。
【０００３】
例えば、特許文献１に、カメラ機能付き携帯電話端末を使用して、買い物をした直後にレシート情報を抽出することにより、家計簿を自動的に作成する家計簿自動作成システムが開示されている。
特許文献１によれば、レシートをカメラ機能付き携帯電話端末で撮影し、撮影した画像と予め格納してあるレシートフォーマットとのマッチングを行い、テキストデータに変換した後、レシート情報をレシート情報収集・管理サーバに送付する。そして、レシート情報収集・管理サーバが、管理しているユーザ毎のレシート情報と家計簿作成・閲覧サーバ上に格納されているユーザ情報から、家計簿情報管理テーブルにユーザ毎の家計簿を自動的に作成する。
【０００４】
特許文献１によれば、レシートをカメラで撮影することによって、予め用意された家計簿情報管理テーブルにレシートに記載の購入商品情報を自動的に作成することができるため、ユーザは、入力の手間を軽減することができる。
【０００５】
しかしながら、レシートには、大まかな商品情報しか記載がされていないため、購入した商品の詳細を把握することは困難な場合がある。このため、家計簿を作成する場合、レシートを認識し、商品情報を抽出する他に、それに対応付けられた商品ごとの画像を紐付けることによって、より正確な家計簿を作成することが求められる。
また、商品の写真とともに値段を簡単に記録、共有することができれば、日々の記録として便利に使用し、または友達との会話のネタ（題材）として楽しむことができる。
【０００６】
しかしながら、購入物の写真を撮影して付加情報とする機能は、操作が煩雑であり、あまり使われることは無かった。これは、従来の家計簿アプリケーションでは金額入力操作と対象物（購入物）の写真撮影は分離されていることに起因し、撮影操作が追加の手間として認識されていたことに基づく。
【先行技術文献】
【特許文献】
【０００７】
【特許文献１】特開２０１０−１３４４９２号
【発明の概要】
【発明が解決しようとする課題】
【０００８】
本発明は、このような事情に鑑みなられたものであり、簡単な操作で対象物の画像とその対象物の金額などの数値とを対応付けて記録できる撮像装置を提供することを目的とする。
【課題を解決するための手段】
【０００９】
本発明は、上記目的を達成するために以下の構成によって把握される。
本発明の撮像装置は、撮像手段と、数値を入力する入力手段と、前記撮像手段により撮像された画像と前記入力手段により入力された数値を対応付けて記憶する記憶手段と、を備えたことを特徴とする。
【００１０】
本発明の撮像装置のデータ記憶方法は、撮像手段を備えた撮像装置のデータ記憶方法であって、数値を入力する数値入力ステップと、前記撮像手段により撮像された画像と前記数値入力ステップにより入力された数値を対応付けて記憶する記憶ステップと、を含むことを特徴とする。
【００１１】
本発明の撮像装置のコンピュータプログラムは、撮像手段を備えた撮像装置のコンピュータに、数値を入力する入力手段、前記撮像手段により撮像された画像と前記入力手段により入力された数値を対応付けて記憶する記憶手段、を実行させるためのプログラム。
【発明の効果】
【００１２】
本発明によれば、簡単な操作で対象物の画像とその対象物の金額などの数値とを対応付けて記録できる撮像装置を提供することができる。
【図面の簡単な説明】
【００１３】
【図１】本発明の実施の形態に係る撮像装置の内部構成を示すブロック図である。
【図２】本発明の実施の形態に係る撮像装置の家計簿専用アプリケーションを起動したときの初期画面を示す図である。
【図３】本発明の実施の形態に係る撮像装置を利用した登録画像の管理画面の詳細画面を示す図である。
【図４】本発明の実施の形態に係る撮像装置を利用した登録画像の管理画面の一覧画面を示す図である。
【図５】本発明の実施の形態に係る撮像装置を利用した登録画像の管理画面の地図詳細画面を示す図である。
【図６】マイ通貨及び使用通貨の設定画面を示す図である。
【図７】本発明の実施の形態に係る撮像装置を利用した家計簿専用アプリケーションの処理動作を示すフローチャートである。
【図８】撮影後の詳細情報を入力する画面の一例である。
【図９】本発明の実施の形態に係る撮像装置を利用した登録画像の画像再生処理動作を示すフローチャートである。
【図１０】図２に示すライブビュー画像上に表示されるカテゴリ入力用表示画面を示す図である。
【発明を実施するための形態】
【００１４】
以下、添付図面を参照して、本発明を実施するための形態（以下、本実施形態と言う）について詳細に説明する。なお、実施形態の説明の全体を通して同じ要素には同じ番号または符号を付している。
【００１５】
以下、本実施形態に係る撮像装置について、図面を用いて説明する。
本実施形態の撮像装置１は、例えば、撮影機能を有するスマートフォン等である。スマートフォンは、家計簿専用のアプリケーション（以降、専用アプリケーションと呼ぶ）を起動すると、撮影モードのライブビュー画像に切り替わり、その切替わった画面では、ライブビュー画像上に金額入力のためのユーザインタフェースを設置されているので、金額入力を行った状態で画像を撮像することが可能である。以下に、本実施形態に係る撮像装置１の構成を示す。
【００１６】
（撮像装置の構成）
図１に示すように、本実施形態に係る撮像装置１は、典型的には、中央制御部１０（表示制御手段）と、表示部１１（表示手段）と、タッチパネル１２（入力手段）と、撮像部１３（撮像手段）と、画像生成部１４と、入力キー画像データ記憶部１５と、画像合成部１６と、日付取得部１７と、位置情報取得部１８と、演算部１９（演算手段）と記憶部２０（記憶手段）と、を備える。
【００１７】
中央制御部１０は、図示省略しているが、ＣＰＵ（Central  Processing  Unit）、ＲＡＭ（Random  Access  Memory）等を備えて構成される。中央制御部１０のＣＰＵは、記憶部２０に記憶されているプログラムを逐次読み出し、ＲＡＭのワークエリアに展開し、展開したプログラムに従って、後述する情報出力処理を始めとする各種処理を実行する。
中央制御部１０のＲＡＭは、揮発性のメモリであり、ＣＰＵにより実行される各種プログラムを記憶するプログラムエリアや各種プログラムに係るデータ等を記憶するワークエリアが割れ当てられている。詳細は、後述する。
【００１８】
表示部１１は、ＬＣＤ（Liquid  Crystal  Display）等により構成され、中央制御部１０からの表示制御信号に従って、各種表示を行う。
表示部１１には、入力手段としての表示部１１上に配置された透過型のタッチパネル１２が設けられている。
そして、表示部１１上には、入力キー画像データ記憶部１５から取得される入力キー画像データ（例えば、文字を入力するソフトウェアキーボード、数値入力用数字表示データ等）が表示されており、この表示と透明型のタッチパネル１２とで入力手段が構成されている。
例えば、数値入力用数字表示データを取得した場合、表示部１１の所定の位置には０から９までの数字が表示され、その数字上のタッチパネル１２を操作（タッチ）することによりその数値を入力することができる。
つまり、表示部１１に表示される表示と表示部１１上に設けられるタッチパネル１２とで入力手段が構成されている。
さらに、上述の数値入力の態様に加え、表示部１１に所定の演算に対応した演算子指定部（例えば、四則演算子）を表示させ、その表示上のタッチパネル１２を操作（タッチ）することで四則演算子の入力なども行えるような入力手段として、入力された数値を演算子指定部で指定された演算子に従って演算部１９に演算させることができるようにしてもよい。
【００１９】
撮像部１３は、例えばカメラであり、商品等を撮影することで画像生成部１４に、その撮像データを転送する。
画像生成部１４は、撮像部１３から転送された撮像データに基づいて、撮影画像を生成し、中央制御部１０に転送する。
【００２０】
入力キー画像データ記憶部１５には、入力キー画像データとして、例えば、商品の金額などの数値を入力するために、タッチパネル１２との協業で入力手段を構成するために表示部１１に表示する数値入力用数字表示データ、同様にタッチパネル１２との協業で文字を入力する入力手段を構成するために表示部１１に表示するソフトウェアキーボードなどの画像データが記憶され、中央制御部１０の制御の下で表示部１１上に表示される。
画像合成部１６は、画像生成部１４で生成された表示部１１上に表示する画像データと入力キー画像データ記憶部１５に記憶される入力キー画像データを合成したり、入力手段で入力された金額などの数値を数字として表示部１１上に表示するための画像合成などを行い、表示部１１上に表示するための合成画像を作成し、中央制御部１０に転送する。
【００２１】
日付取得部１７は、日付取得手段として機能し、撮像部１３によって、撮影された日付を取得し、中央制御部１０に転送する。
位置情報取得部１８は、位置情報取得手段として機能し、撮像部１３によって、撮影された場所をＧＰＳ（Global  Positioning  System）等を利用して特定し、特定した位置情報を中央制御部１０に転送する。
演算部１９は、タッチパネル１２で入力された数値をもとに四則演算等を行う他に、記憶部２０に記憶されている画像上に当該画像に対応付けられて記憶されている日付に基づいて、設定される所定の期間内に撮像された画像に対応付けされた金額を合計する金額合計手段として機能する。
また、演算部１９は、入力された金額から設定した自国の通貨（マイ通貨）と他国の通貨（使用通貨）の通貨換算を実行する通貨換算手段としても機能する。詳細は、後述する。
【００２２】
記憶部２０は、ＨＤＤ（Hard  Disk  Drive）や半導体の不揮発性メモリ等により構成される。また記憶部２０には、中央制御部１０で実行されるシステムプログラムや各種処理プログラム、これらのプログラムの実行に必要なデータ等が記憶されている。プログラムは、コンピュータ読み取り可能なプログラムコードの形態で格納されている。中央制御部１０は、当該プログラムコードに従った動作を逐次実行する。
【００２３】
また、記憶部２０には、撮像部１３により撮像された画像とタッチパネル１２により入力された数値とが対応付けて記憶される。
なお、タッチパネル１２により入力された金額が確定した場合、撮像部１３により撮像された画像とタッチパネル１２により入力された金額とを対応付けて記憶してもよい。
また、タッチパネル１２により入力された金額が確定した場合、撮像部１３により撮像された画像と、タッチパネル１２により入力された金額と、日付取得部１７により取得された日付とを対応付けて記憶してもよい。
さらに、タッチパネル１２により入力された金額が確定した場合、撮像部１３により撮像された画像と、タッチパネル１２により入力された金額、日付取得部１７により取得された日付、及び、位置情報取得部１８により取得される位置情報とを対応付けて記憶してもよい。
【００２４】
以下、図を参照しながら、具体的な例で、本実施形態に係る撮像装置１についての詳細な説明を行う。
本実施形態に係る撮像装置１での画像の撮像方法については後ほど詳細に説明するが、先ず、先に、本撮像装置１で撮像した画像を見るときの画像再生機能について説明する。
【００２５】
本撮像装置１では、画像を撮像するときに、撮像する対称（商品など）とともに、その撮像した画像に商品の金額などの数値を対応付けて記憶するようになっており、画像を再生すると、商品の画像とともにその金額の表示等が行われるようになっている。
図２は、ユーザが本撮像装置１の専用アプリケーションを起動したときの初期画面を示すものであり、この初期画面は、後ほど詳細に説明する撮像操作を行う画面になっている。
【００２６】
図２の初期画面において、左上にあるホームボタン３１のところをタッチすると、タッチパネル１２により、ホームボタン３１がタッチされたことが検出され、中央制御部１０が、表示部制御手段として機能し、中央制御部１０は、記憶部２０に記憶されている画像から画像が撮像された日付順で最新の画像を選択し、表示部１１に表示する。
【００２７】
例えば、図２に示される状態で撮像された画像が最新の画像であった場合、ホームボタン３１がタッチされると、表示部１１には、図３に示すような画像の表示が行われる。
図３では、詳細ボタン８０が濃い色で強調され、現在の表示形態が詳細表示の状態になっていることがわかるようになっている。
【００２８】
この詳細表示は、図３に示す画像の下側に、順次、日付順に画像が仮想的に準備されており、表示部１１上を指でスクロール操作すると、スクロール操作されていることがタッチパネル１２により検出され、中央制御部１０は、そのスクロール操作に従って、現在表示中の画像を表示部１１からスクロールアウトさせるとともに、表示部１１上に日付順に仮想的に準備されている画像をスクロールインさせるように表示させる。
【００２９】
図３に示すように、詳細ボタン８０の下のところには「Ｄｅｃｅｍｂｅｒ  ２０１４  ￥４，０５７」として、現在、表示中の画像が取得された月に撮像された他の画像（商品画像）の金額を含めた合計金額が表示されており、家計簿機能としての月の使用金額合計がわかるようになっている。
【００３０】
そして、表示部１１をスクロール操作で、表示部１１に表示される画像が、別の月に撮像した画像に切り替わると「Ｄｅｃｅｍｂｅｒ  ２０１４  ￥４，０５７」の表示も、その切替わった画像の撮像された月に撮像された他の画像（商品）の金額を含めたその月の合計金額の表示に変わるようになっている。
【００３１】
この詳細表示では、撮像した商品の画像（以下、「商品画像」ともいう）が表示される部分には、その商品画像の商品を実際に購入した時の通貨での金額「＄２.３６」が表示されるとともに、その商品画像の下側には、その商品画像が撮像された年月日「Ｄｅｃｅｍｂｅｒ  ７，２０１４」とともに、そのときに記入したコメント「卒業旅行（アメリカ）」などが表示されるようになっている。
【００３２】
また、その商品画像の商品を購入した時の購入金額を自国通貨に換算した時の金額「￥２５７」も表示されるようになっており、さらに、その金額表示「￥２５７」の下には、商品を購入した場所の地図が掲載されるようになっている。
【００３３】
一方、一覧表示ボタン９０のところをユーザがタッチすると、一覧表示ボタン９０がタッチされたことがタッチパネル１２により検出され、中央制御部１０は、表示部１１の表示を一覧表示の状態に切り替える。
【００３４】
図４は、表示部１１が一覧表示の状態になっているところを示した図である。
図４に示すように、先ほど図３において、濃い色で強調されていた詳細ボタン８０が薄い色に変わり、一覧表示ボタン９０が代わりに濃い色で強調され、現在表示中の状態がサムネイル画像を表示する一覧表示になっていることがわかるようになっている。
【００３５】
図４に示すように、一覧表示の状態では、上側に画像が撮像された月毎の合計金額「Ｄｅｃｅｍｂｅｒ  ２０１４  ￥４，０５７」が表示されるとともに、その月に撮像された画像（商品画像）のサムネイルが一覧で表示される。
また、図４では、表示部１１の表示スペースに余裕があるため、その前の月の一覧も「Ｎｏｖｅｍｂｅｒ  ２０１４  ￥６，０００」として合計金額とともにサムネイル画像の一覧表示がされている。
【００３６】
この一覧表示でも、先ほどの詳細表示と同様に、表示部１１上をユーザがスクロール操作することで、タッチパネル１２が、そのスクロール操作を検出し、中央制御部１０は、撮像された月毎の並び順に従って、表示部１１上の表示を切り替えるようになっている。
【００３７】
より具体的に言えば、図４に示す状態でユーザがスクロール操作を行なえば「Ｄｅｃｅｍｂｅｒ  ２０１４」が表示部１１の上側にスクロールアウトしていくとともに、表示部１１の下側から「Ｎｏｖｅｍｂｅｒ  ２０１４」の前の月である「Ｏｃｔｏｂｅｒ  ２０１４」の月に撮像されたサムネイル画像の一覧表示が合計金額「Ｏｃｔｏｂｅｒ  ２０１４  ￥・・・・」との表示とともにスクロールインしてくるようになっている。
このように、撮像装置１では、どのようなものをその月に購入したのかが画像でわかり易く一覧表示されるとともに、その月に使用した合計金額がわかるようになっている。
【００３８】
ところで、図３に戻って、詳細表示の状態を見ると、上述したように、右下の自国通貨の表示「￥２５７」の下に、その画像（商品画像）の商品を購入した場所の地図が掲載されていることについては、既に、述べた通りであるが、購入した商品の画像を優先して大きく表示するようにしているため、地図は小さく表示されることになる。
【００３９】
しかしながら、例えば、画像を見せながら友人達等と会話している時に、「ああ、私もその町に行ったことがある。そのケーキ、どこで買ったの？」のように詳細な場所を大きな地図表示で表示したい場合がある。
このような時のために、撮像装置１では、地図選択ボタン１００をタッチすれば、タッチパネル１２によって地図選択ボタン１００がタッチされたことが検出され、中央制御部１０は地図の表示をメインにした画面に表示部１１の表示を切り替える機能を設けている。
【００４０】
図５は、この地図をメインにした表示の一例であり、地図表示上に印１０１が表示されるとともに、その地図表示の下側には、その印１０１のところで購入した商品のサムネイルや自国通貨での購入金額「￥２５７」、及び、実際に購入した時の通貨での購入金額「＄２.３６」などが表示されるようになっている。
なお、この地図表示では、地図の部分を指で触って「ピンチ／スクロール」することが可能になっており、地図を拡大したり、縮小したり、また、上下左右方向に動かしたりすることが可能になっている。
【００４１】
上記のように、本実施形態に係る撮像装置１は、単なる家計簿に留まらず、友人などとの日常の会話などにおいて、旅先などでの思い出などを見るためのアルバム的な使用など日常生活をエンジョイするためのツールとしても有益である。
【００４２】
次に、上記のような画像再生機能を行うために、どのように画像を撮像しているのか、その撮像方法について詳細に説明する。
先ず、上記の説明でもわかる通り、本実施形態に係る撮像装置１には、通貨を換算する機能があり、画像を撮像する前に、図６に示す設定画面を立ち上げて自国通貨と使用通貨の設定を行う。
【００４３】
図６（ａ）は、通貨設定画面を立ち上げたときの初期画面の状態を示す図である。
図６（ａ）に示すように、初期画面には、自国通貨を選択するためのマイ通貨ボタン５０と使用する通貨を選択するための使用通貨ボタン６０とが表示されている。
【００４４】
そして、自国通貨を選択するために、ユーザが、マイ通貨ボタン５０（自国通貨指定部）をタッチするとタッチパネル１２によってマイ通貨ボタン５０（自国通貨指定部）がタッチされたことが検出され、中央制御部１０は、図６（ｂ）に示す自国通貨選択画面を表示部１１に表示させる。
【００４５】
この自国通貨選択画面に表示される各通貨のボタンの中から、ユーザは、自国通貨に該当するボタンをタッチする。
そうすると、タッチパネル１２によって、どの通貨ボタンが選択されたのかが検出され、中央制御部１０は、その選択された通貨を自国通貨（マイ通貨）として設定する。
【００４６】
また、使用通貨を選択するために、図６（ａ）の画面表示において、ユーザが、使用通貨ボタン６０（通貨切換え部）をタッチするとタッチパネル１２によって使用通貨ボタン６０（通貨切換え部）がタッチされたことが検出され、中央制御部１０は、図６（ｃ）に示す使用通貨選択画面を表示部１１に表示させる。
【００４７】
ユーザは、この使用通貨選択画面に表示される各通貨のボタンの中から、例えば、これから旅行する旅行先の通貨のボタンを選択し、タッチする。
そうすると、タッチパネル１２によって、どの通貨ボタンが選択されたのかが検出され、中央制御部１０は、その選択された通貨を使用通貨として設定する。
【００４８】
なお、図６（ｃ）に示すように、使用通貨選択画面には、使用通貨を自国通貨にしたときの為替レートなども表示されるようになっている。
この為替レートは、例えば、旅行に行くときの両替を行ったときの為替レートを登録するようにしてもよいし、例えば、撮像装置１がスマートフォンなどのように通信機能を備えている場合には、通信機能を用いて自動的に取得してくるようにしておいてもよい。
【００４９】
以下、本実施形態に係る撮像装置１の画像を撮像するときの動作を図７のフローチャートを見ながら説明する。
まず、ユーザが専用アプリケーションを起動すると、中央制御部１０は、表示部１１に表示される画面を、起動画面から撮影モード画面に切り替える。
【００５０】
次に、中央制御部１０は、画像合成部１６によって合成された、撮像部１３により撮像され、画像生成部１４によって生成されるライブビュー画像上に入力キー画像データ記憶部１５に記憶されている入力キー画像データを重畳表示した画像を表示部１１に表示する。（ステップＳ１１）。
【００５１】
具体的には、図２に示すように、表示部１１の全体にケーキやフォーク等のライブビュー画像が表示され、そのライブビュー画像上にシースルー表示状態で数値入力用数字表示データの画像が重畳表示される。
そして、ユーザが、この数値入力用数字表示データの画像の所望の数字ボタンをタッチすると、タッチパネル１２によってそのタッチされた数字ボタンが検出され、中央制御部１０は、ユーザの入力内容に沿った表示処理を画像合成部１６との協業で行う。
【００５２】
具体的には、図７に示すように、中央制御部１０は、ユーザによる金額（数値）の入力を検知すると（ステップＳ１２「ＹＥＳ」）、その入力された金額（数値）を画像合成部１６との協業でライブビュー画像上に重畳表示する（ステップＳ１３）。つまり、図２の「＄２．３６」のように金額を特定の通貨記号と一緒に表示する。
なお、このときに中央制御部１０は、入力された金額（数値）を演算部１９に為替レートに基づいて自国通貨での金額を求めさせ（例えば「￥２５７」）、その演算部１９が演算した自国通貨の金額「￥２５７」も図２に示すように、画像合成部１６との協業でライブビュー画像上に重畳表示する。
【００５３】
そして、ユーザが、撮像したい画像を図２に示す撮像枠３２に収まるようにして入力確定ボタン４０（金額確定部）をタッチすると、入力確定ボタン４０（金額確定部）が選択されたことをタッチパネル１２が検出し、そうすると、中央制御部１０は金額確定入力があったとものとして、中央制御部１０は、図７に示すステップＳ１４を「ＹＥＳ」として、撮像枠３２内に表示されている画像を取得する制御を行うとともに、その取得した画像と入力された金額「＄２．３６」を対応付けて記憶する制御を行う（ステップＳ１５）。
【００５４】
なお、本実施形態では、この画像を取得するときに、中央制御部１０は、日付取得部１７が取得する年月日の情報や位置情報取得部１８が取得するＧＰＳなどの位置情報を合わせて取得し、撮像された画像に年月日の情報、及び、位置情報を対応付けて記憶する制御を行うようになっている。
【００５５】
ここで、上記の中央制御部１０の行う記憶する制御は、記憶手段である記憶部２０に記憶（記録）させる制御であってもよいが、以降で説明する処理を引き続き行うような場合には、一時的に記憶部２０に記憶させる制御であってもよい。
また、画像と入力された金額、年月日の情報及び位置情報と対応付けは、記憶部２０に専用の記憶領域を設け画像との間で紐付けされるような対応付けであってもよいが、例えば、画像情報のヘッダ部分等に記録するようにした対応付けであってもよい。
【００５６】
つまり、上述した撮像装置１の画像再生機能において、購入金額や合計金額等の表示を行うための処理等ができるように画像と対応付けがなされているようにされていればよく、対応付けの方法は特に限定されるものではない。
さらに、対応付ける金額（数値）は、使用通貨「＄２．３６」だけでなく、自国通貨での金額（数値）、つまり「￥２５７」を合わせて対応付けるようにしてもよい。
なお、金額入力の判定（ステップＳ１２）及び金額確定入力の判定（ステップＳ１４）において「ＮＯ」の場合には、中央制御部１０は金額入力の判定（ステップＳ１２）に戻る。
【００５７】
上記のようにして画像が撮像されると中央制御部１０は、表示部１１の表示を図８（ａ）に示すように切り替える。
ここでユーザは、撮像した画像が気に入らない場合には、図８（ａ）の左上に示す「戻る」のボタンをタッチしてもう一度、画像の撮像からやり直すことができる。
【００５８】
一方、図８（ａ）の画面を確認して撮像した画像に問題がなければ、必要に応じて「Ｎｏ  ｎａｍｅ」のボタン７１や「Ｃｏｍｍｅｎｔ」のボタン７２をタッチして、図８（ｂ）に示すソフトウェアキーボードの表示される画面を立ち上げ、タッチ入力でファイルネームやコメントの記入を行い、記入が終った後、ＯＫボタン７０をタッチすると中央制御部１０は、記憶部２０に画像の記録を行う。
【００５９】
なお、図８（ａ）の状態でもＯＫボタン７０が設けられており、コメントの記入やファイルネームの記入を行わないで記憶部２０に画像の記録を行うことができるようになっている。
この場合、ファイルネームは、デフォルトで設定されるルール（例えば年月日など）に従って決められるようにしておけばよい。
また、上述したように図７のフローの終了と同時に記憶部２０に画像の記録を行う場合もデフォルトで設定されるルールに従ってファイルネームを決めて記録するようにしておけばよい。
【００６０】
以上のようにして、画像が記憶部２０に記憶されているので、上記で既に説明した画像再生機能を使用する時には、中央制御部１０は、図９に示すフローチャートに示す処理を行う。
画像表示を行う状態、例えば、図３の状態において、スクロール操作などにより、表示部１１上に表示する画像が指定されると（ステップＳ２１）、その表示部１１上に画像を表示するのに合わせて、中央制御部１０は、指定された画像に対応付けられている金額（数値）を取得し（ステップＳ２２）、指定された画像上に取得された金額（数値）を表示部１１に重畳表示させる（ステップＳ２３）。
なお、本実施形態に係る撮像装置１では、この表示に合わせて、その表示される画像と同じ月に撮影された他の画像の金額（数値）も取得し、年及び月の表示とともに合計金額を表示するとともに、位置情報も表示するようにしている。
【００６１】
なお、上記に加えて、撮像する画像にカテゴリの情報を付加して、画像表示機能で表示する画像をカテゴリで絞って表示できるようにしてもよい。
例えば、図２に示した画像を撮像するときの画面で、シースルー表示状態で重畳表示されている数値入力用の画像部分をユーザが左右スクロール操作をしたときに、その数値入力用の画像部分が図１０のようにスクロールインしてカテゴリ入力ができる表示に切り替わって、例えば、図２のように、食べ物などの場合には、図１０に示すフォークとナイフの印のボタン４１をタッチすることで撮像する画像のカテゴリを食べ物として記録するようにしていてもよい。
このようにカテゴリ選択がされて記録されている画像の場合、その画像を表示する時には、図３に示すようにカテゴリ（詳細ボタン８０の左側のフォークとナイフの印参照）も合わせて表示部１１に表示するようにしてもよい。
【００６２】
また、上記実施形態では、使用通貨について、初期設定で設定する場合について説明したが、使用通貨の変更が図２の画像を撮像する画面から直ぐに変更できるように、使用通貨変更ボタン３０（通貨切換え部）を設けておき、このボタンをユーザがタッチすることで図６（ｃ）に示した使用通貨選択画面が表示されるようにしておいてもよい。
なお、図２においては、使用通貨変更ボタン３０の表示形式を現在選択されている使用通貨であるＵＳＤ（米ドル）として表示することで、現在選択されている使用通貨がどの通貨であるかが一目でわかるようにしている。このため、使用通貨の変更を行うと、正しく変更されているかが一目でわかる。
このようにしておけば、例えば、複数の国を旅行するような場合、旅行の途中で使用通貨がわかることがあるが、そのような場合でも簡単に使用通貨の変更が行えるので好適である。
【００６３】
以上、具体的な実施形態に基づいて本発明の説明を行ってきたが、本発明は、上記具体的な実施形態の態様に限定されるものではない。
例えば、撮像装置１の金額（数値）を入力する入力手段として、上記実施形態では、金額入力をタッチパネル１２で手入力により行うことを前提に説明したが、商品自体に金額を無線で送信するような機能（無線タグなど）が付けられているような場合、撮像装置１に近距離無線通信機能などを設けて、この無線通信機能を用いて商品の金額を読み取り入力するような金額（数値）を入力する入力手段であってもよい。
【００６４】
つまり、撮像装置１が、スマートフォンのような場合、そこに搭載されている無線通信機能（ＮＦＣやＢｌｕｅｔｏｏｔｈ（登録商標）など）を入力手段として利用し、金額（数値）の入力が行えるようにしてもよい。
また、商品に金額を可視光で送信するような可視光通信タグや、金額情報を表わすバーコード、ＱＲコード（登録商標）機能が付けられているような場合、撮像装置１でこれらの情報を撮像して読み取る機能などを設けてもよい。
更に、数値の入力手段としては、音声による入力であってもよい。
【００６５】
また、入力手段に、さらに所定の演算に対応した演算子指定部をさらに加え、それに対応した演算を演算部１９が実行する機能を付加してもよい。
より具体的に言えば、図２において、数字の表示に加え、四則演算用の表示も行うようにし、いわゆる電卓のような機能を付加してもよい。
さらに、上記実施形態では、タッチパネル式の入力手段の場合について説明してきたが、押し釦式ようなものであってもよい。
【００６６】
加えて、上記実施形態では、画像の一覧表示や合計金額が月毎で示される場合について説明してきたが、月毎に限定されるものではなく、例えば、週毎や日毎のような所定の期間を設定して、日付に基づいて、この所定の期間の一覧表示や合計金額の表示を行うようにしてもよい。
また、上記実施形態では、入力される数値は金額を前提に説明したが、金額以外の、例えば、食事をした際の料理のカロリー値を入力してもよい。
【００６７】
このように、本発明は、上記で示した具体的な実施形態の態様に限定されるものではなく、適宜の変更、改良を実施したものも本発明の技術的範囲に含まれるものであり、そのことは、当業者にとって、特許請求の範囲の記載から明らかである。
【００６８】
以下に、この出願の願書に最初に添付した特許請求の範囲に記載した発明を付記する。付記に記載した請求項の項番は、この出願の願書に最初に添付した特許請求の範囲の通りである。
【００６９】
〔付記〕
＜請求項１＞
撮像手段と、
数値を入力する入力手段と、
前記撮像手段により撮像された画像と前記入力手段により入力された数値を対応付けて記憶する記憶手段と、
を備えた撮像装置。
＜請求項２＞
表示手段と、
前記撮像手段により撮像される画像をライブビュー画像として前記表示手段に表示させるとともに、前記入力手段により入力された数値を数字として前記ライブビュー画像上に重畳表示させる表示制御手段と、
を備えたことを特徴とする請求項１に記載の撮像装置。
＜請求項３＞
前記入力手段は、前記表示手段上に配置された透過型のタッチパネルであり、
前記表示制御手段は、前記撮像手段により撮像される画像をライブビュー画像として前記表示手段に表示させるとともに、前記表示手段の所定の位置に少なくとも０から９までの数字を表示し、
前記入力手段は、前記表示手段の所定の位置に表示されている０から９までの数字上の、前記タッチパネルを操作することにより数値を入力することを特徴とする請求項２に記載の撮像装置。
＜請求項４＞
前記表示制御手段は、前記記憶手段に記憶されている前記画像上に当該画像に対応付けられて記憶されている数値を数字として重畳して前記表示手段に表示させることを特徴とする請求項２又は３の何れか一項に記載の撮像装置。
＜請求項５＞
前記数値は金額であり、
前記表示制御手段は、前記金額を特定の通貨記号と一緒に表示させることを特徴とする請求項２乃至４の何れか一項に記載の撮像装置。
＜請求項６＞
前記入力手段は、前記通貨記号を切換える通貨切換え部を更に備えていることを請求項５に記載の撮像装置。
＜請求項７＞
前記入力手段は、自国の通貨を指定する自国通貨指定部を更に備え、
自国の通貨と他国の通貨の通貨換算を実行する通貨換算手段を備えたことを特徴とする請求項６に記載の撮像装置。
＜請求項８＞
前記入力手段は、入力した金額を確定する金額確定部を更に備え、
前記撮像手段は、当該金額確定部が操作された場合、入力された金額を対応付けて画像を撮像することを特徴とする請求項５乃至７の何れか一項に記載の撮像装置。
＜請求項９＞
前記記憶手段は、前記金額確定部が操作され、前記撮像手段が入力された金額を対応付けて画像を撮像すると、前記画像を記憶することを特徴とする請求項８に記載の撮像装置。
＜請求項１０＞
日付を取得する日付取得手段を備え、
前記記憶手段は、当該金額確定部が操作された場合、前記撮像手段により撮像された画像と前記入力手段により入力された金額と前記日付取得手段により取得された日付を対応付けて記憶することを特徴とする請求項９の何れか一項に記載の撮像装置。
＜請求項１１＞
前記記憶手段に記憶されている前記画像上に当該画像に対応付けられて記憶されている日付に基づいて前記金額を合計する金額合計手段を備えたことを特徴とする請求項１０に記載の撮像装置。
＜請求項１２＞
前記表示制御手段は、前記記憶手段に記憶されている前記画像上に当該画像に対応付けられて記憶されている日付に基づいて画像を一覧表示するとともに、前記金額合計手段により当該日付に基づいて前記金額が合計された合計金額を前記表示手段に表示させることを特徴とする請求項１１に記載の撮像装置。
＜請求項１３＞
前記入力手段は、所定の演算に対応した演算子指定部を更に備え、
前記入力手段により入力された数字を前記演算子指定部で指定された演算子に対応した演算を実行する演算手段を備えたことを特徴とする請求項１乃至１１の何れか一項に記載の撮像装置。
＜請求項１４＞
撮像手段を備えた撮像装置のデータ記憶方法であって、
数値を入力する数値入力ステップと、
前記撮像手段により撮像された画像と前記数値入力ステップにより入力された数値を対応付けて記憶する記憶ステップと、
を含むことを特徴とする撮像装置のデータ記憶方法。
＜請求項１５＞
撮像手段を備えた撮像装置のコンピュータに、
数値を入力する入力手段、
前記撮像手段により撮像された画像と前記入力手段により入力された数値を対応付けて記憶する記憶手段、
を実行させるためのプログラム。
【符号の説明】
【００７０】
１      撮像装置
１０    中央制御部（表示制御手段）
１１    表示部（表示手段）
１２    タッチパネル（入力手段）
１３    撮像部（撮像手段）
１４    画像生成部
１５    入力キー画像データ記憶部
１６    画像合成部
１７    日付取得部
１８    位置情報取得部
１９    演算部
２０    記憶部（記憶手段）
３０    使用通貨変更ボタン（通貨切換え部）
３１    ホームボタン
３２    撮像枠
４０    入力確定ボタン（金額確定部）
５０    マイ通貨設定（自国通貨指定部）
６０    使用通貨設定
７０    ＯＫボタン
８０    詳細ボタン
９０    一覧表示ボタン
１００  地図選択ボタン
【図１】
2016100825.tif 000003
【図２】
2016100825.tif 000004
【図３】
2016100825.tif 000005
【図５】
2016100825.tif 000006
【図６】
2016100825.tif 000007
【図７】
2016100825.tif 000008
【図８】
2016100825.tif 000009
【図９】
2016100825.tif 000010
【図１０】
2016100825.tif 000011
【図４】
2016100825.tif 000012